(57)【要約】【課題】複数の画像をスクリーンに投射する場合、投射する画像を所望の大きさに指示するプロジェクターを提供する。【解決手段】プロジェクター１０は、第１の画像信号に基づく第１の画像、第２の画像信号に基づく第２の画像、および、第１の画像と第２の画像との境界となる位置を示す境界線、を含む合成画像を生成する画像生成部と、画像生成部が生成した合成画像をスクリーンＳＣに表示する投射部９０と、スクリーンＳＣに対する指示体７０の位置を検出する位置検出部２０と、位置検出部２０が検出した指示体７０の位置に基づいて境界線が移動した合成画像を画像生成部に生成させる制御部８０と、を備える。【選択図】図２
2018026742.tif 000002
【特許請求の範囲】
【請求項１】
第１の画像信号に基づく第１の画像、第２の画像信号に基づく第２の画像、および、前記第１の画像と前記第２の画像との境界となる位置を示す境界線、を含む合成画像を生成する画像生成部と、
前記画像生成部が生成した前記合成画像を表示面に表示する表示部と、
前記表示面に対する指示体の位置を検出する検出部と、
前記検出部が検出した前記指示体の位置に基づいて前記境界線が移動した前記合成画像を前記画像生成部に生成させる制御部と、を備えることを特徴とする表示装置。
【請求項２】
請求項１に記載の表示装置において、
前記制御部は、前記合成画像において前記第１の画像と前記第２の画像とを分割可能な複数の分割位置のうち、前記境界線に最も近い前記分割位置に目安線を付加した前記合成画像を前記画像生成部に生成させることを特徴とする表示装置。
【請求項３】
請求項２に記載の表示装置において、
前記制御部は、前記指示体で指示可能な指示領域を前記境界に重畳した前記合成画像を前記画像生成部に生成させ、前記表示面に表示された前記合成画像の前記指示領域が前記指示体でクリックされたことを検知した場合、前記複数の分割位置のうち、前記境界と隣り合う第１の分割位置に前記合成画像の前記境界線を移動させることを特徴とする表示装置。
【請求項４】
請求項３に記載の表示装置において、
前記指示領域は、前記境界線に沿って移動可能であることを特徴とする表示装置。
【請求項５】
請求項２乃至４のいずれか１項に記載の表示装置において、
前記第１の画像信号は第１の入力ソースから入力され、前記表示部が前記第１の画像を前記表示面に表示し、前記第２の画像は前記表示面に表示していない場合、
前記制御部は、前記境界線が前記端部以外の位置に移動したことを検知すると、前記第１の入力ソースとは異なる第２の入力ソースから入力される前記第２の画像信号に基づく前記第２の画像を含む前記合成画像を、移動した前記境界線に基づいて前記画像生成部に生成させることを特徴とする表示装置。
【請求項６】
請求項５に記載の表示装置において、
前記制御部は、前記第１の画像信号に対しては信号判別処理を施さず、前記第２の画像信号に対しては前記信号判別処理を施すことを特徴とする表示装置。
【請求項７】
請求項５乃至６のいずれかに記載の表示装置において、
前記制御部は、前記第２の入力ソースが、第１のソースおよび第２のソースを含む複数のソースから選択可能である場合、前記第１のソースに応じた第１の指示領域と、前記第２のソースに応じた、前記第１の指示領域とは異なる第２の指示領域を配置した前記合成画像を前記画像生成部に生成させることを特徴とする表示装置。
【請求項８】
請求項５乃至７のいずれか１項に記載の表示装置において、
前記制御部は、前記境界に基づいて前記第１の画像が配置されていた前記合成画像の一部の領域に前記第２の画像を配置する場合、設定された情報に基づいて前記第１の画像を優先して表示する領域を決定することを特徴とする表示装置。
【請求項９】
第１の画像信号に基づく第１の画像、第２の画像信号に基づく第２の画像、および、前記第１の画像と前記第２の画像との境界となる位置を示す境界線、を含む合成画像を生成すること、
生成された前記合成画像を表示面に表示すること、
前記表示面に対する指示体の位置を検出すること、
検出された前記指示体の位置に基づいて前記境界線が移動した前記合成画像を生成すること、を備えることを特徴とする表示装置の制御方法。
【発明の詳細な説明】
【技術分野】
【０００１】
本発明は、表示装置および表示装置の制御方法に関する。
【背景技術】
【０００２】
従来、光源から出射される光束を変調して画像情報に応じた画像を形成し、形成した画像をスクリーンに拡大して投射するプロジェクターが知られている。
近年では、下記特許文献１に示すように、複数の入力ソースから画像信号を受け付け、複数の画像信号に応じた複数の画像をスクリーンに投射するプロジェクターが開示されている。
【０００３】
このようなプロジェクターが投射する複数の画像の中から、着目する画像を他の画像よりも大きくスクリーンに表示させたい場合、ユーザーは、着目する画像に設定された優先度を他の画像の優先度よりも高く設定する。これにより、プロジェクターは、設定された優先度と画像の画素数に応じて、着目する画像を他の画像よりも大きく表示する。
【先行技術文献】
【特許文献】
【０００４】
【特許文献１】特開２００４−５４１３４号公報
【発明の概要】
【発明が解決しようとする課題】
【０００５】
しかしながら、上述のプロジェクターでは、優先度を高くすることで大きく表示することはできるが、表示される画像の大きさは優先度と画素数に応じて決定されるため、ユーザーはスクリーンに投射される画像の大きさを明示的に指示できなかった。
本発明は、上述の課題に鑑みてなされたものであり、複数の画像を投射する場合、投射する画像を所望の大きさに指示することを目的とする。
【課題を解決するための手段】
【０００６】
本発明は、上述の課題の少なくとも一部を解決するためになされたものであり、以下の形態又は適用例として実現することが可能である。
【０００７】
［適用例１］
本適用例にかかる表示装置は、第１の画像信号に基づく第１の画像、第２の画像信号に基づく第２の画像、および、前記第１の画像と前記第２の画像との境界となる位置を示す境界線、を含む合成画像を生成する画像生成部と、前記画像生成部が生成した前記合成画像を表示面に表示する表示部と、前記表示面に対する指示体の位置を検出する検出部と、前記検出部が検出した前記指示体の位置に基づいて前記境界線が移動した前記合成画像を前記画像生成部に生成させる制御部と、を備えることを特徴とする。
【０００８】
このような構成によれば、第１の画像信号に基づく第１の画像、第２の画像信号に基づく第２の画像、および、第１の画像と第２の画像との境界となる位置を示す境界線を含む合成画像が投射されている表示面において、指示体を移動させることにより、境界線が移動した合成画像が生成されて投射されるため、第１の画像および第２の画像の大きさを指示体の移動により明示的に指示できる。
【０００９】
［適用例２］
上記適用例にかかる表示装置において、前記制御部は、前記合成画像において前記第１の画像と前記第２の画像とを分割可能な複数の分割位置のうち、前記境界線に最も近い前記分割位置に目安線を付加した前記合成画像を前記画像生成部に生成させることが好ましい。
【００１０】
このような構成によれば、第１の画像と第２の画像とを分割可能な分割位置のうち、指示体の位置に最も近い位置に目安線を表示させるため、所望の大きさに近い大きさで２つの画像を分割可能な位置を視認できる。
【００１１】
［適用例３］
上記適用例にかかる表示装置において、前記制御部は、前記指示体で指示可能な指示領域を前記境界に重畳した前記合成画像を前記画像生成部に生成させ、前記表示面に表示された前記合成画像の前記指示領域が前記指示体でクリックされたことを検知した場合、前記複数の分割位置のうち、前記境界と隣り合う第１の分割位置に前記合成画像の前記境界線を移動させることが好ましい。
【００１２】
このような構成によれば、境界に重畳して表示された指示領域をクリックすることで、目安線に応じた分割位置に隣り合う第１の分割位置に境界線を移動させることができる。
【００１３】
［適用例４］
上記適用例にかかる表示装置において、前記指示領域は、前記境界線に沿って移動可能であることが好ましい。
【００１４】
このような構成によれば、指示領域は目安線に沿って移動できるため、投射されている画像に応じて視認性を低下させない位置に移動させることができる。
【００１５】
［適用例５］
上記適用例にかかる表示装置において、前記第１の画像信号は第１の入力ソースから入力され、前記表示部が前記第１の画像を前記表示面に表示し、前記第２の画像は前記表示面に表示していない場合、前記制御部は、前記境界線が前記端部以外の位置に移動したことを検知すると、前記第１の入力ソースとは異なる第２の入力ソースから入力される前記第２の画像信号に基づく前記第２の画像を含む前記合成画像を、移動した前記境界線に基づいて前記画像生成部に生成させることが好ましい。
【００１６】
このような構成によれば、表示部が第１の画像を表示し、第２の画像を表示していない場合、移動した境界の位置に基づいて第２の入力ソースに基づく第２の画像を更に含む合成画像が生成されるため、複数の入力ソースに基づく画像を目安線の位置に基づいて合成した合成画像を生成できる。
【００１７】
［適用例６］
上記適用例にかかる表示装置において、前記制御部は、前記第１の画像信号に対しては信号判別処理を施さず、前記第２の画像信号に対しては前記信号判別処理を施すことが好ましい。
【００１８】
このような構成によれば、第１の画像信号に対しては信号判別処理を施さないため、第１の画像信号に基づいて生成した第１の画像を再生成することなく表示できる。
【００１９】
［適用例７］
上記適用例にかかる表示装置において、前記制御部は、前記第２の入力ソースが、第１のソースおよび第２のソースを含む複数のソースから選択可能である場合、前記第１のソースに応じた第１の指示領域と、前記第２のソースに応じた、前記第１の指示領域とは異なる第２の指示領域を配置した前記合成画像を前記画像生成部に生成させることが好ましい。
【００２０】
このような構成によれば、入力ソースの選択が容易になる。
【００２１】
［適用例８］
上記適用例にかかる表示装置において、前記制御部は、前記境界に基づいて前記第１の画像が配置されていた前記合成画像の一部の領域に前記第２の画像を配置する場合、設定された情報に基づいて前記第１の画像を優先して表示する領域を決定することが好ましい。
【００２２】
このような構成によれば、第１の画像が配置されていた合成画像の一部の領域に第２の画像を配置する場合、第１の画像を優先して表示する領域を設定することができる。
【００２３】
［適用例９］
本適用例にかかる表示装置の制御方法は、第１の画像信号に基づく第１の画像、第２の画像信号に基づく第２の画像、および、前記第１の画像と前記第２の画像との境界となる位置を示す境界線、を含む合成画像を生成すること、生成された前記合成画像を表示面に表示すること、前記表示面に対する指示体の位置を検出すること、検出された前記指示体の位置に基づいて前記境界線が移動した前記合成画像を生成すること、を備えることを特徴とする。
【００２４】
このような方法によれば、第１の画像信号に基づく第１の画像、第２の画像信号に基づく第２の画像、および、第１の画像と第２の画像との境界となる位置を示す境界線を含む合成画像が投射されている表示面において、指示体を移動させることにより、境界線が移動した合成画像が生成されて投射されるため、第１の画像および第２の画像の大きさを指示体の移動により明示的に指示できる。
【図面の簡単な説明】
【００２５】
【図１】実施形態に係るプロジェクターの使用例を示す図。
【図２】実施形態に係るプロジェクターの構成を示す機能ブロック図。
【図３】２分割表示の処理の流れを示すフローチャート。
【図４】２画面ボタンのドラッグ処理の流れを示すフローチャート。
【図５】２分割表示の処理の流れを示すフローチャート。
【図６】複数の目安線の位置を示す図。
【図７Ａ】外部入力モードによる第１の投射画面を示す図。
【図７Ｂ】外部入力モードによる第１の投射画面でガイド線の移動を示す図。
【図７Ｃ】外部入力モードによる第１の投射画面でガイド線の移動を示す図。
【図７Ｄ】外部入力モードによる第１の投射画面でガイド線の移動を示す図。
【図７Ｅ】外部入力モードによる第１の投射画面でガイド線の移動を示す図。
【図７Ｆ】外部入力モードによる第１の投射画面でガイド線の移動を示す図。
【図８Ａ】左拡大のサイズで２分割表示した例を示す図。
【図８Ｂ】等倍のサイズで２分割表示した例を示す図。
【図８Ｃ】右拡大のサイズで２分割表示した例を示す図。
【図８Ｄ】１画面で投射した例を示す図。
【図９Ａ】２分割表示した状態からガイド線の移動を示す図。
【図９Ｂ】２分割表示した状態からガイド線の移動を示す図。
【図９Ｃ】２分割表示した状態からガイド線の移動を示す図。
【図１０】２分割表示する場合に表示するソースを決定する処理の流れを示すフローチャート。
【図１１】第２の投射画面を表示する方向を説明する図。
【図１２】複数の指示領域が表示された第１の投射画面を示す図。
【発明を実施するための形態】
【００２６】
以下、本発明の実施形態について図面を参照して説明する。
【００２７】
（実施形態）
図１は、本発明を適用した実施形態に係るプロジェクター１０の使用例を示す図である。このプロジェクター１０は、表示装置の１つであり、表示面であるスクリーンＳＣの直上に設置され、斜め下方に向けて画像を投射する短焦点型である。また、本実施形態で例示するスクリーンＳＣは、壁面に固定されるか、または、床面に立設された、平板または幕である。尚、壁面をスクリーンＳＣとして使用することも可能である。この場合、スクリーンＳＣとして使用される壁面の上部にプロジェクター１０が取り付けられても良い。
プロジェクター１０は、外部入力モードとして、外部から入力される画像データに基づいて画像をスクリーンＳＣに投射できる。
【００２８】
また、このプロジェクター１０は、画像を投射するスクリーンＳＣ上において、ユーザー（操作者）が指示体７０を用いて所定の操作を指示する機能（インタラクティブ機能）を有する。指示体７０は、例えば、ペン型の入力デバイスであり、操作者は軸部７１を把持し、先端をスクリーンＳＣに押しつけるように使用する。指示体７０の先端には押圧操作を検出する操作スイッチ７２が設けられており、操作者が指示体７０の先端をスクリーンＳＣに押し付けた場合に、操作スイッチ７２がオンになる。操作者は、スクリーンＳＣ上の任意の位置で指示体７０の先端をスクリーンＳＣに押しつけることで、位置指示操作を行うことができる。
【００２９】
プロジェクター１０は、後述するように、スクリーンＳＣ上における指示体７０の位置を検出する機能を有する。プロジェクター１０は、操作者が位置指示操作を行った場合に、指示体７０の先端がスクリーンＳＣに接した位置を操作位置として検出し、操作者が指示体７０により行った位置指示操作を受け付けて、この操作を投射画像に反映させることができる。具体的には、プロジェクター１０は、ユーザーによる描画動作、即ち、ユーザーにより保持された指示体７０がスクリーンＳＣ上に押し付けられた状態で移動する動作に基づいて、直線、曲線、多角形の図形や、文字等の描画画像２００を描画し、描画画像２００をスクリーンＳＣに投射する。
例えば、プロジェクター１０は、図１のようにスクリーンＳＣに投射されている画像が無い場合に、スクリーンＳＣに第２の投射画面２２０を白色光で投射してホワイトボードのような状態にすると共に、スクリーンＳＣ上に描画画像２００を描画する機能（ホワイトボード（ＷＢ）機能）を有する。このようなＷＢ機能を実行する態様をＷＢモードと呼ぶ。
【００３０】
また、プロジェクター１０は、何らかの投射画像がスクリーンＳＣに投射されている場合に、投射画像に重畳して描画画像２００を描画できる機能（アノテーション機能）を有する。
また、プロジェクター１０は、後述するように、スクリーンＳＣに投射される２画面ボタン２３０が指示体７０で指示された場合、スクリーンＳＣに投射される領域を２分割し、分割した領域に異なるモード、例えば、ＷＢモードと外部入力モード、の画像を同時に投射できる。
また、プロジェクター１０は、スクリーンＳＣに描画された画像を、画像データとして保存できる。この場合、描画画像２００のみを画像データとして保存しても良く、また、描画時にスクリーンＳＣに投射されていた投射画像と描画画像２００とが重なった１つの画像を、画像データとして保存することもできる。
【００３１】
このプロジェクター１０は、外装筐体に操作パネル１９が設けられている。操作パネル１９は、各種スイッチやインジケーターランプを有し、インジケーターランプはプロジェクター１０の動作状態や設定状態に応じて点灯或いは点滅する。
図２は、プロジェクター１０を構成する各部の機能ブロック図である。
このプロジェクター１０は、画像データが入力される画像データ入力部１２を備えている。
画像データ入力部１２は、例えば、ＵＳＢインターフェイス、有線または無線ＬＡＮインターフェイス等の通信インターフェイスであっても良い。例えば、画像データ入力部１２が備えるＬＡＮインターフェイスを介して、入力ソースとしてのコンピューター装置や他のプロジェクターが接続されても良い。
【００３２】
画像データ入力部１２は、アナログ映像信号やデジタル映像信号が入力される入力端子を備えていても良い。入力端子は、ＶＧＡ端子、ＤＶＩ（Digital Visual Interface）、Ｓ映像端子、ＲＣＡ端子、Ｄ端子、ＨＤＭＩ（登録商標）規格に準拠したＨＤＭＩコネクター等である。画像データ入力部１２は、これらの入力端子に対応するインターフェイス回路や画像処理回路を備えていても良い。
また、画像データ入力部１２は、フラッシュメモリー等に記憶された画像データを読み取る読取機能を備えても良い。画像データ入力部１２に入力された画像信号（第１の画像信号）は、入力信号切り替え部１４を介して画像処理部３０に送られる。
また、プロジェクター１０は、スクリーンＳＣに対する指示体７０の位置を検出する位置検出部２０を備えている。位置検出部（検出部）２０は、撮像部２６、指示体検出部２４および座標算出部２２を備えて構成される。
【００３３】
撮像部２６は、撮像光学系、撮像素子、インターフェイス回路等を有し、投射光学系９６の投射方向を撮影する。撮像部２６の撮像光学系は、投射光学系９６と同じ方向を向いて配置され、投射光学系９６がスクリーンＳＣ上に画像を投射する範囲をカバーする画角を有する。また、撮像素子としてはＣＣＤやＣＭＯＳが挙げられる。インターフェイス回路は、撮像素子の検出値を読み出して出力する。
撮像部２６は、スクリーンＳＣ上に投射された画像とともに、スクリーンＳＣ上またはその近傍で操作されている指示体７０を撮影する。撮像部２６の撮像素子は可視光線の波長域に感度を有するものであっても良く、また、赤外光や赤外光と可視光の波長域に感度を有しても良い。本実施形態では、撮像部２６は赤外光の撮影画像データを出力する。
【００３４】
指示体検出部２４は、撮像部２６が出力する撮影画像データに基づいて、指示体７０の位置を検出する。指示体検出部２４は、撮影画像データから指示体７０に似た形状を検出して指示体７０の画像を切り出す処理を実行し、撮影画像データにおける指示体７０の位置を特定する。ここで、指示体検出部２４は、指示体７０の先端が向いている方向を特定しても良い。尚、指示体７０の検出方法は、指示体７０に似た形状を検出する方法には限定されず、ライトカーテンによる反射光の検出方法も想定できる。
ライトカーテンによる反射光の検出方法は、例えば、スクリーンＳＣの表面全体に亘って層状（又はカーテン状）の検出光（例えば、赤外光）を射出し、赤外光を反射する部位を有する指示体７０で反射する反射光を撮影し、撮影した画像における反射光の位置から指示体７０の位置を検出しても良い。ライトカーテンによる反射光の検出方法の詳細は、本発明の要旨ではないため省略する（かかる方式については、例えば、特開２０１５−１５９５２３号公報を参照）。
【００３５】
座標算出部２２は、指示体検出部２４が特定した撮影画像データにおける指示体７０の位置に基づき、指示体７０の先端がスクリーンＳＣ上で指し示している位置の座標、すなわち操作位置の座標を算出する。具体的には、座標算出部２２は、撮影画像データにおける操作位置に基づき、スクリーンＳＣ上に投射部９０が画像を投射する領域（投射範囲）を基準とする座標を算出する。座標算出部２２は、算出した操作位置の座標、操作スイッチ７２の操作状態等を示すデータを、ＷＢ機能部１６、アノテーション描画部４０および制御部８０に出力する。
ＷＢ機能部１６は、ＷＢモードにおいて、所謂、ホワイトボードのように、スクリーンＳＣに白色光を投射すると共に、指示体７０の移動動作に基づいて、スクリーンＳＣ上に描画画像２００を生成する。本実施形態では、ＷＢ機能部１６は、機能を実現するためのハードウェアおよびソフトウェアがプロジェクター１０において独立した態様を想定する。ＷＢ機能部１６が生成した描画画像２００の画像信号（第２の画像信号）は、入力信号切り替え部１４を介して画像処理部３０に送られる。
【００３６】
入力信号切り替え部１４は、制御部８０の指示に基づいて、画像処理部３０で処理する画像信号の入力ソースを切り替える。本実施形態では、入力信号切り替え部１４は、ＷＢ機能部１６が生成した画像信号や画像データ入力部１２に入力された画像信号の中から、制御部８０の指示に基づいて画像データを選択し、選択した画像データを画像処理部３０に送る。
プロジェクター１０は、光学的な画像の形成を行う投射部９０と、画像データを処理する画像処理系と、に大別できる。
投射部９０は、照明光学系９２、光変調装置９４、および、投射光学系９６を備えて構成されている。投射部９０は、画像を表示面に表示する表示部に相当する。
照明光学系９２は、キセノンランプ、超高圧水銀ランプ、ＬＥＤ（Light Emitting Diode）、レーザー光源等からなる光源を備える。また、照明光学系９２は、光源が発した光を光変調装置９４に導くリフレクターおよび補助リフレクターを備えていても良い。更に、投射光の光学特性を高めるためのレンズ群（図示略）、偏光板、または、光源が発した光の光量を光変調装置９４に至る経路上で低減させる調光素子等を備えていても良い。
【００３７】
光変調装置９４は、例えば、ＲＧＢの三原色に対応した３枚の透過型液晶パネルを備え、この液晶パネルを透過する光を変調して画像光を生成する。照明光学系９２からの光はＲＧＢの３色の色光に分離され、各色光は対応する各液晶パネルに入射する。各液晶パネルを通過して変調された色光はクロスダイクロイックプリズム等の合成光学系によって合成され、投射光学系９６に射出される。
投射光学系９６は、投射する画像の拡大・縮小および焦点の調整を行うズームレンズ、ズームの度合いを調整するズーム調整用モーター、フォーカスの調整を行うフォーカス調整用モーター、投射光をスクリーンＳＣに向けて反射する凹面鏡等を備えている。投射光学系９６は、光変調装置９４で変調された画像光のズーム調整およびフォーカス調整を行って、レンズ群を通った光を凹面鏡によりスクリーンＳＣ方向へ導き、スクリーンＳＣ上に結像させる。投射部９０には、制御部８０の制御に従って投射光学系９６が備える各モーターを駆動させることによりフォーカス調整やズーム調整を行う投射光学系駆動部６４、および、制御部８０の制御に従って照明光学系９２が備える光源を駆動する光源駆動部６６が接続されている。なお、投射光学系９６の具体的構成は上記の例に限定されず、例えば凹面鏡を含むミラーを用いない構成により、光変調装置９４で変調された光をレンズによってスクリーンＳＣに投射し、結像させることも可能である。
【００３８】
一方、画像処理系は、プロジェクター１０全体を制御する制御部８０を中心に、記憶部８５、操作検出部１８、画像処理部３０、アノテーション描画部４０、ＧＵＩ生成部５０、映像合成部６０および光変調装置駆動部６２を備えている。
記憶部８５は、制御部８０が実行する制御プログラムや、制御部８０を始め各機能部が処理するデータを記憶する。
操作検出部１８は、操作パネル１９やリモコン（図示略）から送られる操作指示を検出し、検出した操作指示の情報を制御部８０に送る。
画像処理部３０は、入力信号切り替え部１４を介して送られるＷＢ機能で生成された画像信号や、画像データ入力部１２に入力された画像信号を処理する。
【００３９】
画像処理部３０は、入力された画像信号に対し、インターレース／プログレッシブ変換、解像度変換、色変換等の各種変換処理を適宜実行し、予め設定されたフォーマットの画像データを生成し、フレームメモリー３５にフレーム毎の画像を展開する。フレームメモリー３５に展開された画像データは映像合成部６０に出力される。
アノテーション描画部４０は、指示体７０で描画された画像オブジェクトを、入力された画像データに基づく画像に重ねて描画する機能を有する。例えば、コンピューター装置が入力ソース（第１の入力ソース）である場合、コンピューター装置が実行しているアプリケーションプログラムが表示するウィンドウに線や図形（アノテーション）などを重畳して描画する。アノテーション描画部４０により画像オブジェクトが追加された画像データは、映像合成部６０に出力される。
【００４０】
ＧＵＩ生成部５０は、スクリーンＳＣに投射するＧＵＩ（Graphical User Interface）画面を生成する。例えば、プロジェクター１０がＷＢモードまたは外部入力モードとして、入力ソース（第２の入力ソース）の１つから供給される画像データに基づく画像を投射している場合、ＧＵＩ生成部５０は、複数の入力ソースによる２分割表示を指示体７０で指示可能な指示領域（ＧＵＩ画面）として２画面ボタン２３０を生成する。生成された２画面ボタン２３０の画像データは映像合成部６０に出力される。
映像合成部６０は、画像処理部３０から送られるフレーム毎の画像データをベースとして、アノテーション描画部４０から送られる画像データおよびＧＵＩ生成部５０から送られる画像データを合成した合成画像の画像データを生成する。生成された画像データは光変調装置駆動部６２に出力される。
上述した画像処理部３０、アノテーション描画部４０、ＧＵＩ生成部５０および映像合成部６０は、複数の画像を合成して合成画像を生成する画像生成部に相当する。
尚、制御部８０は、映像合成部６０が生成した画像データに対して、台形歪み補正や糸巻き型歪み補正を行っても良い。
【００４１】
光変調装置駆動部６２は、映像合成部６０から出力される画像データに基づいて光変調装置９４を駆動して描画を行う。
次に、図３〜図５は、２分割表示の処理（制御方法）の流れを示すフローチャートである。尚、２分割表示の処理の理解を容易にすべく、図６、図７Ａ〜図７Ｆ、図８Ａ〜図８Ｄおよび図９Ａ〜図９Ｃを適宜参照して説明する。
例えば、図７Ａのように、ＵＩ画像２１５Ａを含む第１の投射画面２１０がスクリーンＳＣに投射され、第１の投射画面２１０の左端部には第１の２画面ボタン２３０Ａが含まれ、第１の投射画面２１０の右端部には第２の２画面ボタン２３０Ｂが含まれた状態を想定する。図７Ａに示す第１の投射画面２１０は、外部入力モードとしてコンピューター装置が出力した画像信号（第１の画像信号）に基づいて生成された画像（第１の画像）がスクリーンＳＣに投射された画面である。ここでは、ＷＢ機能部１６が出力した画像信号（第２の画像信号）に基づいて生成された画像（第２の画像）である第２の投射画面２２０は、表示されていない。
【００４２】
このような状態において、操作者が操作する指示体７０が、スクリーンＳＣに投射された２画面ボタン２３０（第１の２画面ボタン２３０Ａ，第２の２画面ボタン２３０Ｂ）をクリックした場合、２分割表示の処理が実行される。
この処理が実行されると、最初に、制御部８０は、２画面ボタン２３０がクリックされた状態で所定距離を越えて移動したか、否かを判定する（ステップＳ１００）。
ここで、２画面ボタン２３０がクリックされた状態で所定距離を越えて移動したと判定した場合（ステップＳ１００でＹｅｓ）、２画面ボタン２３０のドラッグ処理（ステップＳ１２０）が実行され、処理を終了する。尚、２画面ボタン２３０のドラッグ処理（ステップＳ１２０）の詳細は後述する。
【００４３】
他方で、２画面ボタン２３０がクリックされた状態で所定距離を越えて移動していないと判定した場合（ステップＳ１００でＮｏ）、制御部８０は、クリックされた２画面ボタン２３０がリリース（ドロップ）されたか、否かを判定する（ステップＳ１０２）。
ここで、クリックされた２画面ボタン２３０がリリースされていないと判定した場合（ステップＳ１０２でＮｏ）、処理を終了する。
他方で、クリックされた２画面ボタン２３０がリリースされたと判定した場合（ステップＳ１０２でＹｅｓ）、制御部８０は、２画面がスクリーンＳＣに投射されて表示されている状態か、否かを判定する（ステップＳ１０４）。
ここで、２画面がスクリーンＳＣに投射されて表示されている状態であると判定した場合（ステップＳ１０４でＹｅｓ）、２分割表示中のリリース処理（ステップＳ１４０）が実行され、処理を終了する。尚、２分割表示中のリリース処理（ステップＳ１４０）の詳細は後述する。
【００４４】
他方で、２画面がスクリーンＳＣに投射されていない状態であると判定した場合（ステップＳ１０４でＮｏ）、制御部８０は、左端に投射された第１の２画面ボタン２３０Ａがリリースされたか、否かを判定する（ステップＳ１０６）。
ここで、第１の２画面ボタン２３０Ａがリリースされたと判定した場合（ステップＳ１０６でＹｅｓ）、制御部８０は、複数の目安線２５０の左から２番目に想定される目安線２５０Ｄ（図６）を境界として２画面（図８Ｃ）を表示し（ステップＳ１０８）、処理を終了する。
他方で、第２の２画面ボタン２３０Ｂがリリースされたと判定した場合（ステップＳ１０６でＮｏ）、制御部８０は、複数の目安線２５０の右から２番目に想定される目安線２５０Ｂ（図６）を境界として２画面（図８Ａ）を表示し（ステップＳ１１０）、処理を終了する。
【００４５】
ここで、図６を参照して、目安線２５０について説明する。
図６は、複数の目安線２５０の位置を示す図である。本実施形態では、投射される画面を構成する画素数は横方向に１２８０画素、縦方向に８００画素を想定し、表示する２画面は、右拡大、等倍および左拡大の３分割を想定するが、画面の大きさ、画素数は限定されるものではない。尚、目安線２５０の数は、分割数に２（両端部に該当）を加えた数になる。
本実施形態では、投射される画面の左端部を原点とし、右端部の位置を１２８０とする。また、原点側からｎ番目（但し、ｎは１以上であって、かつ、（分割数＋２）以下の範囲の自然数）の目安線２５０を示す位置Ｍｎは式（１）のようになる。この位置Ｍｎは、２つの投射画面を分割可能な分割位置を示す。
【００４６】
【数１】
2018026742.tif 000003
【００４７】
従って、式（１）から１番目の目安線２５０Ｅが原点となる。同様に、２番目の目安線２５０Ｄの位置が３２０、３番目の目安線２５０Ｃの位置が６４０、４番目の目安線２５０Ｂの位置が９６０、５番目の目安線２５０Ａの位置が１２８０となる。
また、隣接する目安線２５０に切り替える切り替え範囲Ｒは式（２）のようになる。
【００４８】
【数２】
2018026742.tif 000004
【００４９】
従って、本実施形態では、切り替え範囲Ｒは１６０になる。この切り替え範囲Ｒを図６に適用すると、各目安線２５０間の分岐位置は、１６０、４８０、８００および１１２０の各位置になる。
また、本実施形態では、２画面ボタン２３０の位置ＰＸと、表示される目安線２５０の関係は式（３）のようになる。
【００５０】
【数３】
2018026742.tif 000005
【００５１】
従って、２画面ボタン２３０の位置ＰＸが式（３）で示す範囲内である場合、制御部８０は原点側からｎ番目の目安線２５０を表示する。
以上の説明に従い、ステップＳ１０８においては、図８Ｃに示すように、２番目の目安線２５０Ｄの位置が境界になるように２分割表示される。
制御部８０は、外部入力モードにおける第１の投射画面２１０の大きさに基づいてＵＩ画像２１５Ｄを生成し、スクリーンＳＣに投射する。また、制御部８０は、ＷＢモードにおいて描画可能な領域を第２の投射画面２２０の大きさでスクリーンＳＣに白色で投射する。
【００５２】
また、制御部８０は、ＧＵＩ生成部５０が生成した第３の２画面ボタン２３０Ｃを第１の投射画面２１０および第２の投射画面２２０の境界位置に投射させる。尚、第３の２画面ボタン２３０Ｃは、第１の２画面ボタン２３０Ａおよび第２の２画面ボタン２３０Ｂと同様に、指示体７０でクリックし、左右方向にドラッグできる。更に、第３の２画面ボタン２３０Ｃは、クリックされた箇所が自身の左右いずれの側かを識別できるように生成されている。
同様に、ステップＳ１１０においては、図８Ａに示すように、４番目の目安線２５０Ｂの位置が境界となるように２分割表示される。
【００５３】
制御部８０は、外部入力モードにおける第１の投射画面２１０の大きさに基づいてＵＩ画像２１５Ｂを生成し、スクリーンＳＣに投射する。また、制御部８０は、ＷＢモードにおいて描画可能な領域を第２の投射画面２２０の大きさでスクリーンＳＣに白色で投射する。
図４は、２画面ボタン２３０のドラッグ処理（ステップＳ１２０）の処理の流れを示すフローチャートである。
尚、以下の説明では、図７Ａの状態において、操作者が操作する指示体７０が、第１の投射画面２１０の右端部に投射された第２の２画面ボタン２３０Ｂをドラッグし、図７Ｂ〜図７Ｆに示すように、所定距離を越えて移動した状態を想定する。
最初に、制御部８０は、第１の投射画面２１０において、第２の２画面ボタン２３０Ｂの横方向の中央位置に、第１の投射画面２１０と第２の投射画面２２０との境界となる位置を示す境界線であるガイド線２４０を縦方向に描画する（ステップＳ１２２）。
【００５４】
尚、ガイド線２４０は、２画面ボタン２３０がクリックされてドラッグされた場合、移動する２画面ボタン２３０に追従して移動する。また、２画面ボタン２３０は、ガイド線２４０上を上下方向に移動可能である。
次に、制御部８０は、移動している第２の２画面ボタン２３０Ｂの位置に応じて目安線２５０を描画する（ステップＳ１２４）。即ち、制御部８０は、ガイド線２４０の位置に最も近い分割位置に目安線２５０を付加した第１の投射画面２１０を投射させる。
第２の２画面ボタン２３０Ｂは、図７Ｂに示すような位置にある場合、即ち、４番目の目安線２５０Ｂと５番目の目安線２５０Ａの分岐位置（１１２０）よりも右側になる。従って、制御部８０は５番目の目安線２５０Ａを描画する。
次に、制御部８０は、第２の２画面ボタン２３０Ｂがリリースされたか、否かを判定する（ステップＳ１２６）。
ここで、第２の２画面ボタン２３０Ｂがリリースされていない場合（ステップＳ１２６でＮｏ）、処理を終了する。この場合、所定の時間経過後に、２画面ボタン２３０のドラッグ処理（ステップＳ１２０）が再度実行される。
【００５５】
例えば、図７Ｃのように、第２の２画面ボタン２３０Ｂがクリックされた状態で、左方向に更に移動し、４番目の目安線２５０Ｂと５番目の目安線２５０Ａの分岐位置（１１２０）よりも左側になった場合、制御部８０は、５番目の目安線２５０Ａに替えて４番目の目安線２５０Ｂを描画する。
また、図７Ｄのように、第２の２画面ボタン２３０Ｂがクリックされた状態で、左方向に更に移動し、２番目の目安線２５０Ｄと３番目の目安線２５０Ｃの分岐位置（４８０）よりも右側になった場合、制御部８０は、３番目の目安線２５０Ｃを描画する。
【００５６】
また、図７Ｅのように、第２の２画面ボタン２３０Ｂがクリックされた状態で、左方向に更に移動し、２番目の目安線２５０Ｄと３番目の目安線２５０Ｃの分岐位置（４８０）よりも左側になった場合、制御部８０は、２番目の目安線２５０Ｄを描画する。
また、図７Ｆのように、第２の２画面ボタン２３０Ｂがクリックされた状態で、左方向に更に移動し、１番目の目安線２５０Ｅと２番目の目安線２５０Ｄの分岐位置（１６０）よりも左側になった場合、制御部８０は、１番目の目安線２５０Ｅを描画する。
図４に戻り、ステップＳ１２６において、第２の２画面ボタン２３０Ｂがリリースされた場合（ステップＳ１２６でＹｅｓ）、制御部８０は、描画したガイド線２４０や目安線２５０を消去する（ステップＳ１２８）。
【００５７】
次に、制御部８０は、消去した目安線２５０の位置が第１の投射画面２１０の左端または右端であったか、否かを判定する（ステップＳ１３０）。
ここで、消去した目安線２５０の位置が第１の投射画面２１０の左端または右端であった場合（ステップＳ１３０でＹｅｓ）、制御部８０は、現在の外部入力モードのみを１画面で表示し（ステップＳ１３４）、処理を終了する。
例えば、図７Ｂのような状態で第２の２画面ボタン２３０Ｂがリリースされた場合、制御部８０は、第１の投射画面２１０を図７ＡのようにスクリーンＳＣに投射させる。
また、図７Ｆのような状態で第２の２画面ボタン２３０Ｂがリリースされた場合、制御部８０は、第２の投射画面２２０を図８ＤのようにスクリーンＳＣに投射させる。
【００５８】
図８Ｄに示す第２の投射画面２２０は、ＷＢ機能部１６が出力した画像信号（第２の画像信号）に基づいて生成された画像（第２の画像）がスクリーンＳＣに投射された画面である。
尚、本実施形態では、第２の投射画面２２０が１面表示される場合、左端部には第４の２画面ボタン２３０Ｄが表示され、右端部には第５の２画面ボタン２３０Ｅが表示される。
他方で、消去した目安線２５０の位置が第１の投射画面２１０の左端でも右端でもない場合（ステップＳ１３０でＮｏ）、制御部８０は、目安線２５０の位置に応じたサイズで２画面を表示させ（ステップＳ１３２）、処理を終了する。
【００５９】
例えば、図７Ｃに示すように４番目の目安線２５０Ｂが表示されている状態で第２の２画面ボタン２３０Ｂがリリースされた場合、制御部８０は、第１の投射画面２１０および第２の投射画面２２０を図８Ａのような左拡大のサイズに２分割してスクリーンＳＣに投射させる。
また、図７Ｄに示すように３番目の目安線２５０Ｃが表示されている状態で第２の２画面ボタン２３０Ｂがリリースされた場合、制御部８０は、第１の投射画面２１０および第２の投射画面２２０を図８Ｂのような等倍なサイズに２分割してスクリーンＳＣに投射させる。
また、図７Ｅに示すように２番目の目安線２５０Ｄが表示されている状態で第２の２画面ボタン２３０Ｂがリリースされた場合、制御部８０は、第１の投射画面２１０および第２の投射画面２２０を図８Ｃのような右拡大なサイズに２分割してスクリーンＳＣに投射させる。
【００６０】
尚、本実施形態では、第２の２画面ボタン２３０Ｂをクリックした状態で、右端部から左側方向に移動させた場合を説明したが、第１の２画面ボタン２３０Ａをクリックした状態で、左端部から右側方向に移動させた場合においても、制御部８０が投射を制御する処理の流れは同一であるため、説明を略す。
また、上述した２画面ボタン２３０のドラッグ処理（ステップＳ１２０）は、図７Ａのような１画面表示の状態を起点とする態様には限定されず、図８Ｂのように、ＵＩ画像２１５Ｃを含む第１の投射画面２１０と、第２の投射画面２２０とが等倍なサイズで２分割表示されている状態を起点とする態様も想定できる。
例えば、図９Ａのように、第３の２画面ボタン２３０Ｃがクリックされた状態で、左方向に移動し、２番目の目安線２５０Ｄと３番目の目安線２５０Ｃの分岐位置（４８０）よりも右側である場合、制御部８０は、３番目の目安線２５０Ｃを描画する。
【００６１】
また、図９Ｂのように、第３の２画面ボタン２３０Ｃがクリックされた状態で、左方向に移動し、２番目の目安線２５０Ｄと３番目の目安線２５０Ｃの分岐位置（４８０）よりも左側になった場合、制御部８０は、３番目の目安線２５０Ｃに替えて２番目の目安線２５０Ｄを描画する。
また、図９Ｃのように、第３の２画面ボタン２３０Ｃがクリックされた状態で、左方向に更に移動し、１番目の目安線２５０Ｅと２番目の目安線２５０Ｄの分岐位置（１６０）よりも左側になった場合、制御部８０は、２番目の目安線２５０Ｄに替えて１番目の目安線２５０Ｅを描画する。
【００６２】
図５は、２画面が表示されている場合に表示される第３の２画面ボタン２３０Ｃのリリース処理（ステップＳ１４０）の処理の流れを示すフローチャートである。
最初に、制御部８０は、図８Ｃのように、第３の２画面ボタン２３０Ｃが描画されている位置が２番目の目安線２５０Ｄにあるか、否かを判定する（ステップＳ１４２）。
ここで、第３の２画面ボタン２３０Ｃが描画されている位置が２番目の目安線２５０Ｄにある場合（ステップＳ１４２でＹｅｓ）、制御部８０は、左移動の場合には、図８Ｄのように１画面で表示し、右移動の場合には、図８Ｂのように３番目の目安線２５０Ｃで２分割表示し（ステップＳ１４６）、処理を終了する。
他方で、第３の２画面ボタン２３０Ｃが描画されている位置が２番目の目安線２５０Ｄにない場合（ステップＳ１４２でＮｏ）、制御部８０は、第３の２画面ボタン２３０Ｃが描画されている位置が（ｎ−２）番目の目安線２５０にあるか、否かを判定する（ステップＳ１４８）。
【００６３】
ここで、第３の２画面ボタン２３０Ｃが描画されている位置が（ｎ−２）番目の目安線２５０にある場合（ステップＳ１４８でＹｅｓ）、制御部８０は、左移動の場合には、（ｎ−３）番目の目安線２５０で２分割表示し、右移動の場合には、（ｎ−１）番目の目安線２５０で２分割表示し（ステップＳ１５０）、処理を終了する。
他方で、第３の２画面ボタン２３０Ｃが描画されている位置が（ｎ−２）番目の目安線２５０にない場合（ステップＳ１４８でＮｏ）、制御部８０は、左移動の場合には、（ｎ−２）番目の目安線２５０で２分割表示し、右移動の場合には、１画面で表示し、処理を終了する。
以上説明した処理は、指示体７０で２画面ボタン２３０をクリックしてドラッグし、所望の位置でリリースすることで、ガイド線２４０と目安線２５０を描画させ、１画面表示や２分割表示を切り替えたが、この方法には限定されない。
【００６４】
例えば、図８Ａに示すように、４番目の目安線２５０Ｂで２分割表示されている場合、制御部８０は、第３の２画面ボタン２３０Ｃの右側部分の１クリックを検知すると、図７Ａのような外部入力モードの１画面表示に遷移させる。
他方で、制御部８０は、第３の２画面ボタン２３０Ｃの左側部分の１クリックを検知すると、図８Ｂのように左側の３番目の目安線２５０Ｃで２分割された状態に遷移させる。
同様に、制御部８０は、図８Ｂにおいて、第３の２画面ボタン２３０Ｃの左側部分の１クリックを検知すると、図８Ｃのように左側の２番目の目安線２５０Ｄで２分割された状態に遷移させる。
【００６５】
更に、制御部８０は、図８Ｃにおいて、第３の２画面ボタン２３０Ｃの左側部分の１クリックを検知すると、図８ＤのようにＷＢモードの１画面表示に遷移させる。
このように、制御部８０は、２画面ボタン２３０のクリックに応じて、現在の分割位置を示す目安線２５０と隣り合う第１の分割位置（目安線２５０）に境界線を移動させる。
図１０は、２分割表示する場合に表示するソースを決定する処理の流れを示すフローチャートである。
最初に、制御部８０は、１画面表示している現在のソースが所望のソースであるか、否かを判定する（ステップＳ１７２）。本実施形態では、所望のソースは、ＷＢモードによる入力ソースを想定するが、これには限定されない。ユーザーの設定により所望のソースを変更する態様も想定できる。
【００６６】
ここで、１画面表示している現在のソースが所望のソースである場合（ステップＳ１７２でＹｅｓ）、制御部８０は、所望のソースを投射する前、即ち、最後に投射したソースに関する情報を取得し、所望のソースと最後に投射したソースとを左右に分割して２分割表示し（ステップＳ１７６）、処理を終了する。尚、最後に投射したソースに関する情報は、記憶部８５に記憶されていても良い。
他方で、１画面表示している現在のソースが所望のソースでない場合（ステップＳ１７２でＮｏ）、制御部８０は、現在のソースと所望のソースとを左右に分割して２分割表示し（ステップＳ１７４）、処理を終了する。
本実施形態では、図８Ｄのように、ＷＢモードに応じた第２の投射画面２２０による１画面表示が選択されている場合、第４の２画面ボタン２３０Ｄまたは第５の２画面ボタン２３０Ｅをクリックして左右方向に移動させることで、他のソース（例えば、外部入力モード）による第１の投射画面２１０と第２の投射画面２２０とで２分割表示できる。このような場合、プロジェクター１０は、第２の投射画面２２０を優先して表示する方向を設定できる。
【００６７】
図１１は、第２の投射画面２２０を優先して表示する方向を説明する図である。操作者は、第２の投射画面２２０を優先して表示する領域として、「左方向」、「右方向」および「方向設定なし」の何れか１つを方向で設定できる。設定された表示方向に関する情報は、記憶部８５に記憶されても良い。
最初に、「左方向」が設定されている場合を説明する。スクリーン画像ＳＣ１は、１画面表示された第２の投射画面２２０に操作者が指示体７０を操作して描画した状態を示す。
ここで、操作者が指示体７０で第４の２画面ボタン２３０Ｄをクリックして右方向に移動させた場合、制御部８０は、スクリーン画像ＳＣ４のように、第２の投射画面２２０の左側の領域を優先的に表示した状態で第２の投射画面２２０を右方向に移動させ、第２の投射画面２２０の移動により空いた領域の大きさに合わせて第１の投射画面２１０を左側に表示させる。
また、操作者が指示体７０で第５の２画面ボタン２３０Ｅをクリックして左方向に移動させた場合、制御部８０は、スクリーン画像ＳＣ５のように、第２の投射画面２２０の左側の領域を優先的に表示した状態で、第１の投射画面２１０の左端部を左方向に移動させ、移動した領域の大きさに合わせて第１の投射画面２１０を右側に表示させる。
【００６８】
次に、「右方向」が設定されている場合を説明する。
「左方向」と同様に、スクリーン画像ＳＣ１の状態から、操作者が指示体７０で第４の２画面ボタン２３０Ｄをクリックして右方向に移動させた場合、制御部８０は、スクリーン画像ＳＣ２のように、第２の投射画面２２０の右側の領域を優先的に表示した状態で左端部のみを右方向に移動させ、第２の投射画面２２０の左端部の移動により決定される領域の大きさに合わせて第１の投射画面２１０を左側に表示させる。
また、操作者が指示体７０で第５の２画面ボタン２３０Ｅをクリックして左方向に移動させた場合、制御部８０は、スクリーン画像ＳＣ３のように、第２の投射画面２２０の右側の領域を優先的に表示した状態で、第２の投射画面２２０を左方向に移動させ、移動により空いた領域の大きさに合わせて第１の投射画面２１０を右側に表示させる。
【００６９】
上述の「右方向」または「左方向」に設定することにより、ＷＢモードによる第２の投射画面２２０の右側や左側にメモ等の追記載を行う場合に有用である。
また、「方向設定なし」が設定されている場合は、スクリーン画像ＳＣ１の状態から、操作者が指示体７０で第４の２画面ボタン２３０Ｄをクリックして右方向に移動させると、制御部８０は、スクリーン画像ＳＣ２のように、第２の投射画面２２０を表示した状態で左端部のみを右方向に移動させ、第２の投射画面２２０の左端部の移動により決定される領域の大きさに合わせ、第１の投射画面２１０を第２の投射画面２２０の左側に上書きして表示させる。
更に、操作者が指示体７０で第５の２画面ボタン２３０Ｅをクリックして左方向に移動させた場合、制御部８０は、スクリーン画像ＳＣ５のように、第２の投射画面２２０を表示した状態で右端部のみを左方向に移動させ、第２の投射画面２２０の右端部の移動により決定される領域の大きさに合わせ、第１の投射画面２１０を第２の投射画面２２０の右側に上書きして表示させる。
【００７０】
尚、ＧＵＩ生成部５０は、２画面ボタン２３０を記憶部８５に記憶したデータに基づいて生成する。その際、ＧＵＩ生成部５０は、表示態様、即ち、１画面表示や２分割表示に応じて２画面ボタン２３０に表示するアイコンを決定する。例えば、図８ＤのようにＷＢモードによる１画面表示の場合、ＧＵＩ生成部５０は、２画面ボタン２３０を移動させることにより新たに表示される入力ソース（例えば、外部入力モード）に応じたアイコンを採用する。また、図７Ａのように外部入力モードによる１画面表示の場合、ＧＵＩ生成部５０は、２画面ボタン２３０を移動させることにより新たに表示されるＷＢモードに応じたアイコンを採用する。
【００７１】
尚、選択可能な入力ソースが複数ある場合、ＧＵＩ生成部５０は、各入力ソースに応じたアイコンを含む２画面ボタン２３０を生成し、制御部８０は、生成した複数の２画面ボタン２３０を第２の投射画面２２０に並べ、指示体７０で選択可能に表示させても良い。
例えば、図７Ａのように外部入力モードによる１画面表示の時に、選択可能な入力ソースとしてＷＢモード（第１のソース）と、第１の投射画面２１０に表示されている画像の基となる画像信号を出力しているコンピューター装置が接続されている入力端子以外の入力端子に接続されているコンピューター装置（第２のソース）とが選択可能である場合、図１２に示すように、ＷＢモードに応じたアイコンを含む第１の２画面ボタン２３０Ａ、第２の２画面ボタン２３０Ｂ（第１の指示領域）に加えて、第１の投射画面２１０に表示されている画像の基となる画像信号を出力しているコンピューター装置以外のコンピューター装置（若しくはこのコンピューター装置が接続されている入力端子）に応じたアイコンを含む第６の２画面ボタン２３０Ｆと第７の２画面ボタン２３０Ｇ（第２の指示領域）を表示させても良い。
【００７２】
以上述べた実施形態によれば、以下のような効果を奏する。
（１）操作者が指示体７０を把持し、プロジェクター１０がスクリーンＳＣに投射している２画面ボタン２３０を指示体７０でクリックして移動させることで、分割可能な位置を示す目安線２５０が移動した位置に応じて表示され、指示体７０をリリースすることで、表示された目安線２５０を分割位置として２つの入力ソースにより２画面表示される。従って、操作者は２画面表示する分割位置を容易に設定でき、所望の分割位置で分割した２画面表示させることができる。
（２）２画面ボタン２３０を指示体７０でクリックする毎に２画面表示する分割位置が変更されるため、操作者は２画面表示する分割位置を容易に変更できる。
【００７３】
（３）プロジェクター１０が２画面表示を行う場合、一方の画面には所望のソースによる画像が投射されるため、操作者は、所望のソースによる画像を容易に表示させることができる。
（４）操作者は、第２の投射画面２２０を優先して表示する領域として、「左方向」、「右方向」および「方向設定なし」の何れか１つを方向で設定できるため、第２の投射画面２２０に表示するコンテンツに応じて、優先して表示する箇所を柔軟に設定できる。
【００７４】
以上、本発明を図示した実施形態に基づいて説明したが、本発明は、本実施形態に限定されるものではなく、以下に述べるような変形例も想定できる。
（１）１画面表示された状態で２画面ボタン２３０が指示されて２画面表示に遷移する場合、制御部８０は、１画面表示している入力ソースからの映像信号をメイン信号として信号判別処理を施さず、２画面表示で追加する映像信号をサブ信号として信号判別処理を施して切り替える。これにより、１画面表示していた入力ソースからの映像がチラついて視認性を低下させることを回避できる。
【００７５】
（２）プロジェクター１０は、スクリーンＳＣの直上に設置され、斜め下方に向けて画像を投射する短焦点型を採用したが、インタラクティブ機能を実現可能であれば、これには限定されない。例えば、スクリーンＳＣに対向して設置する長焦点型であっても良い。
（３）２画面表示を行う場合、２画面はスクリーンＳＣに対して左右方向に配置する態様を想定したが、上下方向に配置する態様も想定できる。また、配置方向を操作者が指示する態様も想定できる。また、分割は２画面には限定されず、３画面以上であっても良い。
【００７６】
（４）光変調装置９４は、ＲＧＢの各色に対応した３枚の透過型の液晶パネルを用いた構成を例に挙げて説明したが、これに限定されるものではない。例えば、３枚の反射型液晶パネルを用いた構成としても良いし、１枚の液晶パネルとカラーホイールを組み合わせた方式を用いても良い。あるいは、３枚のデジタルミラーデバイス（ＤＭＤ）を用いた方式、１枚のデジタルミラーデバイスとカラーホイールを組み合わせたＤＭＤ方式等により構成しても良い。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば採用できる。
【００７７】
また、以上のような手法を実施する装置は、単独の装置によって実現される場合もあれば、複数の装置を組み合わせることによって実現される場合もあり、各種の態様を含むものである。
また、図２に示した画像処理系の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。
【符号の説明】
【００７８】
１０…プロジェクター、１２…画像データ入力部、１４…信号切り替え部、１６…ＷＢ機能部、１８…操作検出部、１９…操作パネル、２０…位置検出部、２２…座標算出部、２４…指示体検出部、２６…撮像部、３０…画像処理部、３５…フレームメモリー、４０…アノテーション描画部、５０…ＧＵＩ生成部、６０…映像合成部、６２…光変調装置駆動部、６４…投射光学系駆動部、６６…光源駆動部、７０…指示体、７１…軸部、７２…操作スイッチ、８０…制御部、８５…記憶部、９０…投射部、９２…照明光学系、９４…光変調装置、９６…投射光学系、２００…描画画像、２１０…第１の投射画面、２１５Ａ…ＵＩ画像、２１５Ｂ…ＵＩ画像、２１５Ｃ…ＵＩ画像、２１５Ｄ…ＵＩ画像、２２０…第２の投射画面、２３０…２画面ボタン、２３０Ａ…第１の２画面ボタン、２３０Ｂ…第２の２画面ボタン、２３０Ｃ…第３の２画面ボタン、２３０Ｄ…第４の２画面ボタン、２３０Ｅ…第５の２画面ボタン、２４０…ガイド線、２５０…目安線、２５０Ａ…５番目の目安線、２５０Ｂ…４番目の目安線、２５０Ｃ…３番目の目安線、２５０Ｄ…２番目の目安線、２５０Ｅ…１番目の目安線、ＳＣ…スクリーン。
【図１】
2018026742.tif 000006
【図２】
2018026742.tif 000007
【図３】
2018026742.tif 000008
【図４】
2018026742.tif 000009
【図５】
2018026742.tif 000010
【図６】
2018026742.tif 000011
【図７Ａ】
2018026742.tif 000012
【図７Ｂ】
2018026742.tif 000013
【図７Ｃ】
2018026742.tif 000014
【図７Ｄ】
2018026742.tif 000015
【図７Ｅ】
2018026742.tif 000016
【図７Ｆ】
2018026742.tif 000017
【図８Ａ】
2018026742.tif 000018
【図８Ｂ】
2018026742.tif 000019
【図８Ｃ】
2018026742.tif 000020
【図８Ｄ】
2018026742.tif 000021
【図９Ａ】
2018026742.tif 000022
【図９Ｂ】
2018026742.tif 000023
【図９Ｃ】
2018026742.tif 000024
【図１０】
2018026742.tif 000025
【図１１】
2018026742.tif 000026
【図１２】
2018026742.tif 000027